(57)【要約】      （修正有）【課題】現金輸送用の紙幣収納ケースに盗難が発生した場合に、中の紙幣にヒーターで半円状の焦げ欠きを発生させて、盗難紙幣の識別が容易で使用が困難にする。【解決手段】内底と中央凸型空芯分離壁は一体成形品で、中央凸型空芯分離壁は２箇所の紙幣収納空間を仕切り、ヒーターは均一な焦げ欠きをつけるために紙幣を分離壁を中心に対称に配置する。中央凸型空芯分離壁にはヒーターの入るスリットが設けられ、スリット最下部にはヒーター先端が入る楕円の切り込みがあり、ヒーターは動作時に札束方向に動いた場合のストッパーになる。内底の４箇所の丸穴は設置ケースの底に設けられたスペーサーのタップ穴に、ねじ止めすることにより、内底と設置ケースの底の固定後、両者の間に空間を形成する。この空間により、ヒーター動作時にヒーターの先端がケースの底に触れて、動作が妨げられるのを防ぐ。【選択図】図２
2006313413.tif 000002
【特許請求の範囲】
【請求項１】
紙幣札束収納部と、ヒーター設置場所と、動作時のヒーター可動範囲を設定し、ケースの中に二つの空間を形成する中央凸型空芯分離壁と、ヒーターが焦げ欠きをつけるために紙幣を対称に配列し、ヒーターの入るスリットが設けられた中央空芯分離壁と、スリット最下部にはヒーター先端の入る楕円の切り込みを備え、ヒーター加熱時に札束の方向に動き、札束の端面に焦げ欠きをつけることを特徴とした 防犯ケース。
【請求項２】
上記ヒーターはＥ型２組の半円空芯柱状の組み合わせで、片方の支柱凹面にはバネが接続され、もう片方の支柱凹面にはバネの入る支柱が設けられ、両方の支柱はバネで反発するように組み合わされて、平常時、両支柱はバネを圧縮した円柱状で熱溶解性の粘着テープで固定され、動作時にはヒーター加熱により粘着テープが溶解し、バネの反発力で加熱した各ヒーターが札束の端面に押しつけられて半円状の焦げ欠きをつける機能をそなえた防犯ケース。
【発明の詳細な説明】
【技術分野】
【０００１】
本発明は多額の現金紙幣を収納して輸送する場合に用いられる現金輸送用ケースで、詳しくは、輸送中に盗難などの被害に遭遇した際に、無線操作することによりヒーターを加熱させて、ケース内に収納されている各紙幣に半円状の焦げ欠きを発生させる。これにより盗難紙幣の識別を容易にして、紙幣の使用を妨げる盗難防止紙幣専用ケースに関するものである。
【背景技術】
【０００２】
上記のようにケースに収納されている紙幣札束に焦げ欠きを発生させて盗難された紙幣であることの識別を容易にするといった防犯対策を実施すれば、輸送中にケースごと持ち去られるような被害に遭ったときでも、その盗難紙幣の使用を困難にできると共に、犯人の割り出しなどにも非常に有効である。
【０００３】
ところで現金輸送用防犯ケースとして、従来、特開平７−３０３５１２号公報に開示されているような構成のものが知られている。これはケース本体と扉とが正規の開放手段以外で開放されたことを検出する、不正開放検出手段の検出信号を受けて汚濁液噴出装置を自動的に作動させて汚濁液を紙幣束に向けて噴出し、紙幣を汚濁するように構成されたものである。
【発明の開示】
【発明が解決しようとする課題】
【０００４】
しかし、上記のような構成の従来の現金輸送用防犯ケースは、紙幣束に汚濁液を噴出させて紙幣束を汚濁する場合は、紙幣束の中に重なり合う個々の紙幣毎に汚濁度合いの差違が生じ、汚濁度合いの少ない紙幣は正規に流通する紙幣との識別が困難な場合があるという問題があった。
【０００５】
本発明は上記のような実情に鑑みてなされたもので、現金輸送用防犯ケース内の全ての紙幣の端面に均一で明確な半円状の焦げ欠きを発生させるため、誰にでも容易に正規に流通している紙幣との識別可能な現金輸送用防犯ケースを提供することを目的としている。
【課題を解決するための手段】
【０００６】
上記目的を達成するために本発明に係わる現金輸送用防犯ケースは紙幣札束収納部とヒーター設置場所および動作時にヒーターの可動範囲を設定する中央凸型空芯分離壁から構成する装置で、内部に二つの空間を形成する。ヒーターが均一な焦げ欠きをつけるために紙幣を分離壁を中心に対称に配置する。中央凸型空芯分離壁にはヒーターの入るスリットが設けられ、スリット最下部にはヒーター先端が入る楕円の切り込みがあり、盗難発生時にヒーターが加熱して紙幣札束の方向に動き、札束の端面に焦げ欠きを発生させる装置を具備させたものである。
【発明の効果】
【０００７】
本発明によれば、紙幣札束収納部とヒーター設置場所および動作時にヒーターの可動範囲を設定する中央凸型空芯分離壁ら構成する装置で、内部に二つの空間を形成する。ヒーターが均一な焦げ欠きをつけるために紙幣を分離壁を中心に対称に配置する。中央凸型空芯分離壁にはヒーターの入るスリットが設けられ、スリット最下部にはヒーター先端が入る楕円の切り込みがあり、盗難発生時にヒーターが加熱して紙幣札束の方向に動き、札束の端面に焦げ欠きを発生させ、焦げ欠きの発生した紙幣は盗難紙幣であると容易に識別され、使用が困難になる。
【０００８】
この盗難防止紙幣専用ケースを輸送中に盗難に遭った場合、操作器からの無線信号で制御装置が働き、ヒーターが動作して内部の全紙幣に焦げ欠きを発生させる。犯人による紙幣の使用が困難になり、使用された場合でも使用者の特定が容易である。
【実施例】
【０００９】
以下、本発明の実施例を図面に基づいて説明する。この盗難防止紙幣専用ケースは、設置ケースの底、内底、中央凸型空芯分離壁、内蓋、附属版、Ｅ型空芯ヒーター、操作器、電装品ケース、内蓋取手を設けてある。
【００１０】
設置ケースの底には図１に示すように、内底との空間を確保するために４個のスペーサーが有り、この空間により、ヒーター動作時にヒーターの先端がケースの底に触れて、動作が妨げられるのを防ぐ。スペーサーにはタップ穴が設けられ、 設置ケースの底に内底をねじ止めで固定する。
【００１１】
内底と中央凸型空芯分離壁は一体成形品で、図２に示すように中央凸型空芯分離壁は２箇所の紙幣収納空間を仕切り、ヒーターは均一な焦げ欠きをつけるために紙幣を分離壁を中心に対称に配置する。中央凸型空芯分離壁にはヒーターの入るスリットが設けられ、スリット最下部にはヒーター先端が入る楕円の切り込みがあり、ヒーターは動作時に札束方向に動いた場合のストッパーになる。内底の４箇所の丸穴は設置ケースの底に設けられたスペーサーのタップ穴に、ねじ止めすることにより、内底と設置ケースの底の固定後、両者の間に空間を形成する。この空間により、ヒーター動作時にヒーターの先端がケースの底に触れて、動作が妨げられるのを防ぐ。
【００１２】
内蓋は図３、図４に示すように３箇所の楕円穴があり、Ｅ型空芯ヒーターを挿入する。ヒーターの横端部はヒーターカバーで内蓋の上面に固定する。４箇所の長方形穴は内底上の長方形穴の垂直投影位置にある同形状、同寸法の穴で附属版の凸型部を入れて位置決めに使う。内蓋の上面には取手と電装品ケースを設ける。
【００１３】
上記附属版は図６に示すように２辺に固定用凸型部があり、内底と内蓋の長方形穴に凸型部を入れて固定する。収納可能量に対して紙幣札束の量が少なくて、配列位置に空きが出る場合、札束配列位置の仕切りに使い、紙幣札束の位置の乱れを防止する。
【００１４】
上記Ｅ型空芯ヒーターは図７と図４の15,16に示すようにヒーター加熱部は断面が半円の空芯状で２組が互いに反発するバネで繋がる。ヒーター横端部は各ヒーター加熱部の固定と電源配線を内蔵する。ヒーター加熱部は半円状の空芯支柱２本一組の組み合わせで、片方の支柱凹面はバネが接続され、もう片方の支柱凹面にはバネに入る柱が設けられている。両空芯支柱はバネを圧縮して組み合わせ、円柱状のじょうたいで熱溶解性の粘着テープで固定する。動作時には加熱されたヒーターでテープが溶解し、各ヒーターがバネにより反発して札束の端面を押して加熱し、半円状の焦げ欠きを発生する。
【００１５】
上記操作器と電装品ケースは図８と図４の14に示すように盗難発生時に操作器のボタンを押すと、無線信号でヒーターが動作する。正常に動作した場合は操作器
に確認ランプで正常動作を表示する。ヒーターの動作を制御する装置、電源を供給する電池は、内蓋上面の電装品ケース内に組み込む。
【００１６】
上記内蓋取手は図９と図４の13に示すように、内蓋の脱着に用いると共にケースの蓋を閉めた場合、内蓋上面とケースの蓋との間に位置する電装品ケース、ヒーターカバーの配置空間を確保する。
【００１７】
全体の構成は図１０に示すように現金輸送用防犯ケースができる。紙幣札束は中央凸型空芯分離壁を中心に対称配置収納後、内蓋とケースの蓋を閉めて、現金輸送に使用する。盗難に遭遇した場合は無線信号で電装品ケース内の制御装置が働き、ヒーターが動作して札束の端面に焦げ欠きをを発生させる。正常に動作した場合は操作器
に確認ランプで正常動作を表示する。無線操作のため犯人が逃走中でも操作可能である。
【図面の簡単な説明】
【００１８】
【図１】ケースの底の斜視図である。
【図２】内底と中央凸型空芯分離壁の斜視図である。
【図３】内蓋を閉めた断面の斜視図である。
【図４】内蓋の上面構成の斜視図である。
【図５】焦げ欠きを付けた紙幣の形状図である。
【図６】附属版の構成形状の図である。
【図７】Ｅ型空芯ヒーターの構成図。平常時は熱溶解性のテープで、二組のヒーター内部のバネを圧縮した円柱状で止めた状態の斜視図と両組支柱の構成斜視図である。
【図８】操作器の形状図である。
【図９】ケースの蓋と取っ手接触で、内蓋の固定と内蓋上面配置場所の空間を確保した状態の断面図である。
【図１０】本発明の実施例による盗難防止紙幣専用ケースの蓋を、開放状態で示す斜視図である。
【符号の説明】
【００１９】
1 ケース底  
1 −ａ スペーサ
1 −ｂ ねじ止め用タップ穴
2 内底
3  ケース底と内底の間の空間
4 内底をケース底に固定するねじ止め用タップ穴
5 附属板の凸部挿入用、長方形穴
6 スリット
ヒーターを配置して動作させる場所
7 中央凸型空芯分離壁の構成形状
8 楕円形穴
ヒーターの可動範囲を規制する
9 内蓋の構成形状  9−ａ   内蓋断面の構成形状
10 Ｅ型空芯ヒーターの中心位置
11 ヒーター先端のレベル
ケース底に接しないレベルを確保
12 札束の対称配列位置
13 内蓋取手
14 電装品ケース
動作制御装置と電源供給する電池が組み込まれている
15 ヒーターカバー
Ｅ型空芯ヒーターの横端部を内蓋に固定する
16 熱溶解性のテープで二組のヒーターを止めた状態  
16 −ａ  片方のヒーターの凹面にはバネが接続
16 −ｂ  片方のヒーターの凹面にはバネの入る柱を設ける
17 焦げ欠きをつけた紙幣の形状
18 附属版
19 操作器の形状
20 ボタン
押すと無線信号でヒーターが動作する
21 ランプ
正常に動作した場合は確認ランプで正常動作を確認します
22 ケースの蓋と取手の接触で、内蓋の固定と内蓋上面配置場所の空間を確保する
23 盗難防止紙幣専用ケース
【図１】
2006313413.tif 000003
【図２】
2006313413.tif 000004
【図３】
2006313413.tif 000005
【図４】
2006313413.tif 000006
【図５】
2006313413.tif 000007
【図６】
2006313413.tif 000008
【図７】
2006313413.tif 000009
【図８】
2006313413.tif 000010
【図９】
2006313413.tif 000011
【図１０】
2006313413.tif 000012